(57)【要約】【課題】既存の情報に触れる機会を増やすことにより、情報の整理やデータベースの最適化を実現することなどを可能とした映像表示装置を提供する。【解決手段】デジタルＴＶ放送受信機システムは、受信データ処理部１０１、表示制御部１０２、表示部１０３、情報ソース供給部１０４、情報抽出部１０５、検索部１０６、記憶部１０７、入力部１０８を備える。表示制御部１０２は、ジャンル情報と表示許可フラグを基にジャンル毎に画像データ表示の許可／不許可を決定する。視聴中の番組がドラマの場合、表示制御部１０２は、表示許可フラグの指定に従い画像データの表示は行わない。視聴中の番組がニュースに切り替わると、表示制御部１０２は、表示許可フラグの指定に従い記憶部１０７の画像データ格納領域４０３から無作為に一画像データを抽出し、ランダムな時間間隔で画像データを表示部１０３に表示する。【選択図】図４
2008061188.tif 000002
【特許請求の範囲】
【請求項１】
放送局から送信される放送番組の映像を表示する表示手段と、
前記表示手段に表示が可能な画像データを取得する取得手段と、
前記表示手段に対する放送番組の映像の表示中において、前記放送番組の種類に応じて前記表示手段に対する画像データの表示を許可するか不許可とするかを決定する制御手段と、
を備えることを特徴とする映像表示装置。
【請求項２】
前記表示手段に対する画像データの表示を許可するか不許可とするかを設定する表示許可情報を前記放送番組の種類に対応付けて記憶する記憶手段を更に備え、
前記制御手段は、前記表示手段に対する放送番組の映像の表示中において、前記記憶手段に記憶されている前記表示許可情報に応じて前記表示手段に対する画像データの表示を許可するか不許可とするかを決定することを特徴とする請求項１記載の映像表示装置。
【請求項３】
前記取得手段により取得される複数の画像データを格納する格納手段を更に備え、
前記制御手段は、前記表示手段に表示する画像データとして複数の表示候補がある場合、前記格納手段から無作為に画像データを抽出して前記表示手段に表示することを特徴とする請求項１又は２記載の映像表示装置。
【請求項４】
前記放送番組の種類とは、放送番組のジャンル、放送番組の内容、放送番組のカテゴリの何れかを含むことを特徴とする請求項１又は２記載の映像表示装置。
【請求項５】
前記放送番組のジャンル、前記放送番組の内容、前記放送番組のカテゴリの選定は、デジタルテレビジョン放送に付随して送信される番組情報或いはデータ放送を利用することを特徴とする請求項４記載の映像表示装置。
【請求項６】
前記放送番組のジャンル、前記放送番組の内容、前記放送番組のカテゴリの選定は、ＥＰＧを含む番組案内情報を利用することを特徴とする請求項４記載の映像表示装置。
【請求項７】
前記画像データは、記憶媒体に保存された画像データ、撮像装置により撮像された画像データの何れかを含むことを特徴とする請求項１乃至３の何れかに記載の映像表示装置。
【請求項８】
前記請求項１乃至７の何れかに記載の映像表示装置を備えることを特徴とするテレビジョン放送受信装置。
【請求項９】
放送局から送信される放送番組の映像を表示する表示手段と、前記表示手段に表示が可能な画像データを取得する取得手段とを備える映像表示装置の制御方法であって、
前記表示手段に対する放送番組の映像の表示中において、前記放送番組の種類に応じて前記表示手段に対する画像データの表示を許可するか不許可とするかを決定するステップを備えることを特徴とする制御方法。
【請求項１０】
前記請求項９記載の映像表示装置の制御方法をコンピュータに実行させるためのプログラム。
【発明の詳細な説明】
【技術分野】
【０００１】
本発明は、放送番組の映像を表示する映像表示装置、テレビジョン放送受信装置、制御方法、及びプログラムに関する。
【背景技術】
【０００２】
近年の情報技術、半導体技術、電子技術の進歩に伴い、テキスト情報、音声、画像、映像情報等の膨大な情報を同じデジタルデータとして記録及び蓄積することが可能になっている。大量のデジタルデータは、ＨＤＤ（ハードディスク）等の物理的に非常に小さい記憶媒体に蓄積される。画像表示装置等ではユーザが意図した操作に従って記憶媒体から読み出した画像や映像等の表示を行っている。
【０００３】
上記技術分野に関する先行技術としては、特定の映像のみを頻繁に再生することを防止すると共に、映像を再生する順番にランダム性を持たせる技術が提案されている（例えば、特許文献１参照）。
【０００４】
また、演奏するカラオケ曲の内容に適した背景映像データをランダムに再生する技術が提案されている（例えば、特許文献２参照）。
【０００５】
また、主画面と副画面を表示可能な表示装置において、現在、主画面にて視聴中のプログラムの終了時間を判断して、自動的に他のチャンネルの映像を副画面に表示する技術が提案されている（例えば、特許文献３参照）。
【０００６】
また、テレビジョン（以下ＴＶと表記）放送受信装置に監視カメラを接続したシステムで、ＴＶ放送の音声の変化によりＣＭ（コマーシャル）かどうかを判別して監視カメラからの映像に切り替える技術が提案されている（例えば、特許文献４参照）。
【０００７】
また、選択されたジャンルから抽出された番組案内情報の画像と、当該チャンネルの画像を同時に画面に表示する技術が提案されている（例えば、特許文献５参照）。
【０００８】
また、ＣＭ情報の内容の適否を判断した後に、ＣＭ放送用画面を用いてデジタル放送番組の映像の所定位置にＣＭ情報を表示出力する技術が提案されている（例えば、特許文献６参照）。
【特許文献１】特開平７−２１２７１４号公報
【特許文献２】特開平１０−２８２９７４号公報
【特許文献３】特開平８−２４２４１４号公報
【特許文献４】特開２０００−１５２１１８号公報
【特許文献５】特開２００１−１６９２００号公報
【特許文献６】特開２００３−１３４０６６号公報
【発明の開示】
【発明が解決しようとする課題】
【０００９】
しかしながら、上記従来技術において、記憶媒体に蓄積された膨大な画像データ（電子データ）を表示装置に表示するには、ユーザが意図して操作する必要がある。画像データは、通常のアルバム等の紙メディア上の画像のようにふとしたきっかけで目に付くものではない。そのため、ともすれば、ユーザはそのような画像データが記憶媒体に記憶されていたことかさえ忘れがちである。
【００１０】
また、画像データを記憶する記憶媒体は概ね小型である。そのため、ユーザが記憶媒体を様々な場所へしまい込んでしまうと、余計に画像データがユーザの目に付かなくなってしまうことがある。その結果、記憶媒体に記憶されている画像データにアクセスする機会が減少し、ユーザが画像データを見返したり、整理したり、思索をめぐらしたりすることが行えないといった問題が発生する。
【００１１】
本発明の目的は、既存の情報に触れる機会を増やすことにより、情報の整理やデータベースの最適化を実現することなどを可能とした映像表示装置、テレビジョン放送受信装置、制御方法、及びプログラムを提供することにある。
【課題を解決するための手段】
【００１２】
上述の目的を達成するために、本発明の映像表示装置は、放送局から送信される放送番組の映像を表示する表示手段と、前記表示手段に表示が可能な画像データを取得する取得手段と、前記表示手段に対する放送番組の映像の表示中において、前記放送番組の種類に応じて前記表示手段に対する画像データの表示を許可するか不許可とするかを決定する制御手段と、を備えることを特徴とする。
【発明の効果】
【００１３】
本発明によれば、情報（画像データ）に対する接触性の減少を防止し、既存の情報に触れる機会を増やすことにより、情報を見返す（復習、再認識）機会の提供、効率の良い情報の整理、データベースの最適化を行うことが可能となる。更に、情報を見返すことで情報に関わる事柄を懐かしむことによる癒し効果、情報の復習による知識の体系付け強化、知識の動機付けを図ることが可能となる。
【発明を実施するための最良の形態】
【００１４】
以下、本発明の実施の形態を図面を参照して説明する。
【００１５】
図１は、本発明の第１の実施の形態に係るテレビジョン放送受信装置としてのデジタルＴＶ放送受信機システムの構成を示すブロック図である。図２は、デジタルＴＶ放送により送信される映像情報及びデータ情報を示す図である。図３は、デジタルＴＶ放送受信機システムの記憶部に保存されたジャンル情報と表示許可フラグからなるデータの構成例を示す図である。
【００１６】
図１において、デジタルＴＶ放送受信機システムは、受信データ処理部１０１、表示制御部１０２、表示部１０３、情報ソース供給部１０４、情報抽出部１０５、検索部１０６、記憶部１０７、入力部１０８を備えている。
【００１７】
受信データ処理部１０１は、ＴＶ放送局のデジタルＴＶ放送で送信されるデータを受信する。表示制御部１０２は、表示部１０３に対する表示制御を行う。表示部１０３は、ＴＶ放送局から送信される放送番組の映像を表示するものであり、画像データの表示も可能に構成されている。情報ソース供給部１０４は、後述のメモリカードやデジタルカメラから取り込んだ画像データ等の情報を供給する。
【００１８】
情報抽出部１０５は、受信データ処理部１０１によりデコードされたデータから検索に必要な情報を抽出する。検索部１０６は、記憶部１０７に記憶されている画像データを検索する。記憶部１０７は、画像データを含むデータを記憶するものであり、複数の画像データを記憶する画像データ格納領域（図４参照）を有する。入力部１０８は、ユーザから指定される情報の入力を制御する。
【００１９】
本システムの構成及び動作を更に詳述する。ＴＶ放送局からのデジタルＴＶ放送のデータ送信に伴い、受信データ処理部１０１によりデジタルＴＶ放送のデータを受信し、受信したデータをデコードする。表示制御部１０２により前記データを表示部１０３の表示形態に合わせて、表示部１０３に表示する。ＴＶ放送局のデジタルＴＶ放送では、図２に示すように放送映像情報２０１とデータ情報２０２とを送信している。放送映像情報２０１とデータ情報２０２のいずれも受信データ処理部１０１により処理され、表示制御部１０２によりその一方もしくは両方を表示部１０３で表示するか、どのように表示するかを制御する。
【００２０】
また、デジタルカメラで撮像された画像データ等を本システムに記憶させるために、情報ソース供給部１０４と記憶部１０７とを設けている。情報ソース供給部１０４は、半導体メモリカードに保存された画像データを取り込むためのコネクタとそのコントローラにより構成することができる。或いは、情報ソース供給部１０４は、デジタルカメラで撮像した画像データをＵＳＢ（Universal Serial Bus）によりデジタルカメラと情報のやり取りを行うことで受け取る制御を行うブロックにより構成することができる。記憶部１０７は、情報ソース供給部１０４を介して供給された画像データを記憶する。
【００２１】
入力部１０８は、ユーザからの、ＴＶ放送番組のジャンル（ドラマ、ニュース、スポーツ等）を指定する情報、そのジャンル毎に画像データの表示を許可するか許可しないかを指定する情報の入力を制御する。入力部１０８は、ユーザからのキーボードによるテキスト入力、マウスによる表示情報の指定、音声入力部による音声入力等、様々な入力手段から入力された情報をコントローラ（不図示）により処理する。更に、入力部１０８は、処理結果をテキスト情報として記憶部１０７に保存する。
【００２２】
本実施の形態では、更に、情報抽出部１０５と検索部１０６とを設けている。情報抽出部１０５は、受信データ処理部１０１によりデコードされたデータから検索に必要な情報（キーワード）を抽出する。検索部１０６は、情報抽出部１０５により抽出されたキーワードを基に、記憶部１０７に記憶されているデータを検索する。
【００２３】
入力部１０８から入力され記憶部１０７に保存されている情報は、図３に示すようにジャンル情報３０１と表示許可フラグ３０２とから構成される。ジャンル情報３０１は、ＴＶ放送番組のジャンルを示す情報である。表示許可フラグ３０２は、ジャンル情報３０１の表示を許可するか／許可しないかを決定するためのフラグである。
【００２４】
ジャンル情報３０１には、「ドラマ」、「ニュース」、「スポーツ」といった放送番組のジャンルを示すジャンル情報を記憶しておく。表示許可フラグ３０２には、ジャンル情報３０１の表示の許可（「ＯＮ」）／不許可（「ＯＦＦ」）を示す情報を記憶しておく。３０３はジャンル情報３０１及び表示許可フラグ３０２のデータ構成例を示す。尚、放送番組のジャンル情報の選定は、デジタルＴＶ放送に付随して送信される番組情報或いはデータ放送を利用する。
【００２５】
図４は、視聴中の番組がドラマの場合は画像データの表示は行わず、視聴中の番組がニュースに切り替わった場合はランダムな時間間隔で画像データの表示を開始する概念を示す図である。
【００２６】
図４において、デジタルＴＶ放送受信機システムの記憶部１０７に蓄積された画像データ４０１は、表示制御部１０２により以下のように表示の許可／不許可が決定される。表示制御部１０２は、画像データ４０１について、図３のジャンル情報３０１と表示許可フラグ３０２を基にジャンル毎に表示の許可／不許可を決定する。４０２に示すように「ニュース番組では画像表示あり、ドラマでは画像表示なし」に設定された場合、表示制御部１０２は、表示部１０３に対して以下のように表示する。
【００２７】
視聴中の番組が「ドラマ」の場合、表示制御部１０２は、表示許可フラグ３０２の指定（「ＯＦＦ」）に従って画像データの表示は行わない。視聴中の番組が「ニュース」に切り替わると、表示制御部１０２は、表示許可フラグ３０２の指定（「ＯＮ」）に従って記憶部１０７の画像データ格納領域４０３から無作為に一画像データを抽出し、ランダムな時間間隔で画像データの表示を開始する。即ち、表示部１０３に表示する画像データとして複数の表示候補がある場合、複数の画像データの中から無作為に抽出した画像データを、表示部１０３に表示中の「ニュース」映像の一部に表示する。
【００２８】
次に、上記構成を有する本実施の形態のデジタルＴＶ放送受信機システムの表示処理を図５を参照しながら説明する。
【００２９】
図５は、デジタルＴＶ放送受信機システムの表示処理を示すフローチャートである。
【００３０】
図５において、本処理はデジタルＴＶ放送受信機システムのＣＰＵ(不図示)がプログラムに基づき実行する。ユーザがデジタルＴＶ放送の番組視聴を開始すべくデジタルＴＶ放送受信機システムの操作部から所定操作すると、ＣＰＵは、表示部１０３にデジタルＴＶ放送の番組の映像を表示する(ステップＳ５０１)。次に、ＣＰＵは、ジャンル情報のテーブルカウントをリセットする(ステップＳ５０２)。受信データ処理部１０１は、ＴＶ放送局から送信されるデジタルＴＶ放送の番組情報・データ放送またはＥＰＧの番組情報の受信を開始する(ステップＳ５０３)。
【００３１】
情報抽出部１０５は、受信データ処理部１０１で受信した情報の中から番組ジャンル情報Ｍを抽出する(ステップＳ５０４)。次に、情報抽出部１０５は、ステップＳ５０４にて抽出した番組ジャンル情報Ｍと、記憶部１０７に保存されている記憶部ジャンル情報[i] とを比較する(ステップＳ５０５)。番組ジャンル情報Ｍと記憶部ジャンル情報[i]とが一致しない場合、ＣＰＵは、ジャンル情報のテーブルカウントを１カウントプラスし(ステップＳ５０６)、ジャンル情報のテーブルの検索が終了するまで(ステップＳ５０７でＹＥＳ)比較を繰り返す。
【００３２】
ジャンル情報のテーブルの終了まで比較を行っても一致するジャンル情報を検出できない場合、情報抽出部１０５は、本システム内に予め用意しておいたデフォルトの画像表示設定に従い画像表示の許可／不許可を決定する(ステップＳ５０８)。次に、情報抽出部１０５は、記憶部１０７の画像データ格納領域から無作為に一画像データを抽出する(ステップＳ５１０)。表示制御部１０２は、抽出された画像データをランダムな時間間隔で表示部１０３に表示する(ステップＳ５１１)。
【００３３】
番組ジャンル情報Ｍと記憶部ジャンル情報[i]とが一致した場合、情報抽出部１０５は、記憶部ジャンル情報[i] の表示許可フラグの設定に従い(ステップＳ５０９)、記憶部１０７の画像データ格納領域から無作為に一画像データを抽出する(ステップＳ５１０)。表示制御部１０２は、抽出された画像データをランダムな時間間隔で表示部１０３に表示する(ステップＳ５１１)。上記処理を、ユーザによるデジタルＴＶ放送の番組視聴が終わるまで(ステップＳ５１２でＹＥＳ)繰り返す。
【００３４】
以上説明したように、本実施の形態によれば以下の効果を奏する。デジタルＴＶ放送受信機システムにおいて、視聴中の番組のジャンルに応じて表示許可フラグの指定に従い、画像データの表示は行わないか、または記憶部１０７から無作為に画像データを抽出して表示部１０３に表示を行う。これにより、記憶部１０７に蓄積されている膨大な画像データの中から埋もれている画像データを見返す機会を提供する。
【００３５】
即ち、情報に対するデジタルメディア特有の接触性の減少を防止し、既存の情報に触れる機会を増やすことにより、情報を見返す（復習、再認識）機会の提供、効率の良い情報の整理、データベースの最適化を行うことが可能となる。更に、情報を見返すことで情報に関わる事柄を懐かしむことによる癒し効果、情報の復習による知識の体系付け強化、知識の動機付けを図ることが可能となる。
【００３６】
ここで、意図しない無作為な画像データの表示は時として煩わしさを与える可能性がある点を考慮している。視聴中の番組の内容によっては中断されたくない場合も多数存在する。そこで、視聴中の放送番組のジャンル（或いは放送番組の内容、或いは放送番組のカテゴリ）に応じて画像データの表示の許可／不許可を選択可能とする。これにより、視聴中の番組を邪魔されずに楽しむことと、記憶部１０７からの無作為な画像データの抽出及び表示による上記効果との両立が可能となる。
【００３７】
［第２の実施の形態］
本発明の第２の実施の形態は、上述した第１の実施の形態に対して、デジタルＴＶ放送受信機システムが図６に示す構成を有する点において相違する。本実施の形態のその他の要素は、上述した第１の実施の形態（図１）の対応するものと同一なので、説明を省略する。
【００３８】
上記第１の実施の形態では、デジタルＴＶ放送を受信する場合について説明した。内容を示すデータ情報２０２（図２）は、データ放送の番組連動型情報ということになる。番組連動型情報のうち番組の内容を示す情報としては、番組ジャンル、あらすじなどが考えられる。番組の内容を示す情報のなかでも、映像シーン連動型のデータが情報として流れれば、映像シーンに応じた検索を行うことが可能となる。
【００３９】
本実施の形態では、デジタルＴＶ放送と同時でなくＥＰＧ（Electronic Program Guide：電子番組ガイド）データとして内容を示すデータ情報２０２と同等の情報がＴＶ放送局から送信されてくる場合を以下に説明する。尚、放送番組のジャンルの選定は、番組案内情報としてのＥＰＧを利用する。
【００４０】
図６は、本実施の形態に係る電子番組ガイドデータを基にデータを検索する場合のテレビジョン放送受信装置としてのデジタルＴＶ放送受信機システムの構成を示すブロック図である。
【００４１】
図６において、デジタルＴＶ放送受信機システムは、受信データ処理部１０１、表示部１０３、情報ソース供給部１０４、検索部１０６、記憶部１０７、入力部１０８、情報抽出部６０３、表示制御部６０４を備えている。デジタルＴＶ放送受信機システムは、更に、ＥＰＧ処理部６０１、ＥＰＧ記憶部６０２を備えている。
【００４２】
本実施の形態では、上記第１の実施の形態の構成（図１）に、ＥＰＧ処理部６０１とＥＰＧ記憶部６０２とを新たに追加する構成としている。ＥＰＧ処理部６０１は、ＥＰＧデータを処理する。ＥＰＧ記憶部６０２は、ＥＰＧ処理部６０１により処理されたＥＰＧデータを記憶する。また、情報抽出部６０３及び表示制御部６０４は新しく機能を追加している。
【００４３】
ＥＰＧ処理部６０１は、受信データ処理部１０１により受信したデータストリームを受けて、ＥＰＧデータの場合は、ＥＰＧデータをＥＰＧ記憶部６０２へ記憶できる形式に変換しＥＰＧ記憶部６０２に記憶する。表示制御部６０４は、不図示のＥＰＧ表示トリガを受けて、ＥＰＧ記憶部６０２に記憶されているＥＰＧデータを基にＴＶ放送の映像データを表示部１０３に表示する。
【００４４】
情報抽出部６０３は、表示部１０３に現行表示中のＴＶ放送の映像データを受信データ処理部１０１の出力を基に解析し、現行表示中のＴＶ放送の番組に応じたＥＰＧデータをＥＰＧ記憶部６０２から検索する。情報抽出部６０３は、ＥＰＧデータの番組タイトル、番組のジャンル、あらすじなどから語句を抽出し、検索部１０６へ渡す。それ以降の処理は上記第１の実施の形態と同一である。
【００４５】
勿論、図６の構成は、ＥＰＧ処理部６０１及びＥＰＧ記憶部６０２以外は上記図１の構成と共通であるので、情報抽出部６０３がデータ放送とＥＰＧデータとの両方に対応するように構成すればよい。これにより、情報抽出部６０３によりデータ放送とＥＰＧデータの両方から語句を抽出し、検索部１０６により記憶部１０７からデータを検索することが可能となる。
【００４６】
［第３の実施の形態］
本発明の第３の実施の形態は、上述した第２の実施の形態に対して、デジタルＴＶ放送受信機システムが図７に示す構成を有する点において相違する。本実施の形態のその他の要素は、上述した第２の実施の形態（図６）の対応するものと同一なので、説明を省略する。
【００４７】
図７は、本実施の形態に係るＥＰＧデータを外部から入手する場合のテレビジョン放送受信装置としてのデジタルＴＶ放送受信機システムの構成を示すブロック図である。
【００４８】
図７において、デジタルＴＶ放送受信機システムは、受信データ処理部１０１、表示部１０３、情報ソース供給部１０４、検索部１０６、記憶部１０７、入力部１０８、情報抽出部６０３、表示制御部６０４を備えている。デジタルＴＶ放送受信機システムは、更に、ＥＰＧ記憶部６０２、ＥＰＧ  ＩＯ処理部７０１を備えている。
【００４９】
本実施の形態では、上記第２の実施の形態の構成（図６）において、ＥＰＧ処理部６０１の代わりにＥＰＧ  ＩＯ処理部７０１を設ける構成としている。更に、ＥＰＧ  ＩＯ処理部７０１をネットワーク７０２により外部ＥＰＧデータベース７０３に接続する構成としている。外部ＥＰＧデータベース７０３は、ＥＰＧデータを蓄積している。
【００５０】
ＥＰＧ  ＩＯ処理部７０１は、ネットワーク７０２を介して外部ＥＰＧデータベース７０３へアクセスする。これにより、デジタルＴＶ放送を通じて外部ＥＰＧデータベース７０３から取得できるＥＰＧデータから詳細な情報を入手することが可能となる。ＥＰＧ  ＩＯ処理部７０１は、定期的に外部ＥＰＧデータベース７０３へアクセスし、外部ＥＰＧデータベース７０３から取得したＥＰＧデータをＥＰＧ記憶部６０２に蓄積しておく。これにより、ＥＰＧデータを用いた円滑な処理が可能となる。
【００５１】
［第４の実施の形態］
本発明の第４の実施の形態は、上述した第１の実施の形態に対して、デジタルＴＶ放送受信機システムが図８に示す構成を有する点において相違する。本実施の形態のその他の要素は、上述した第１の実施の形態（図１）の対応するものと同一なので、説明を省略する。
【００５２】
図８は、本実施の形態に係る受信データを蓄積する場合のテレビジョン放送受信装置としてのデジタルＴＶ放送受信機システムの構成を示すブロック図である。
【００５３】
図８において、デジタルＴＶ放送受信機システムは、受信データ処理部１０１、表示制御部１０２、表示部１０３、情報ソース供給部１０４、情報抽出部１０５、検索部１０６、記憶部１０７、入力部１０８を備えている。デジタルＴＶ放送受信機システムは、更に、蓄積制御部８０１、蓄積部８０２、切り替え部８０３を備えている。
【００５４】
本実施の形態では、上記第１の実施の形態の構成（図１）に、蓄積制御部８０１と蓄積部８０２と切り替え部８０３とを新たに追加する構成としている。蓄積制御部８０１は、受信データ処理部１０１によりＴＶ放送局から受信したデータを蓄積部８０２に蓄積する制御を不図示のトリガを基に行う。切り替え部８０３は、受信データ処理部１０１によりＴＶ放送局から受信したデータと、蓄積部８０２に蓄積されているデータとの切り替えを不図示のトリガを基に行う。
【００５５】
ＴＶ放送局から受信したデータと同時に送られるデータとＥＰＧデータも蓄積できるように構成することで、上記第１の実施の形態と同様の処理を行うことができる。ＥＰＧデータに関しては、蓄積部８０２に蓄積されたデータ（放送データ）に関連するものだけを蓄積するようにすれば、記憶領域の削減が可能である。
【００５６】
［他の実施の形態］
上記実施の形態では、視聴中（受信中）の放送番組のジャンル（ドラマ、ニュース、スポーツ等）に応じて画像データの表示の許可／不許可を決定する場合を例に挙げたが、これに限定されるものではない。視聴中の放送番組の内容（例えば、映像の一部に画像データを表示してもよい番組内容か否か等）、或いは放送番組のカテゴリ（例えば、デジタルＴＶ放送の番組かデータ放送の番組か等）に応じて画像データの表示の許可／不許可を決定してもよい。また、再生中の放送番組のジャンル、或いは放送番組の内容、或いは放送番組のカテゴリに応じて画像データの表示の許可／不許可を決定してもよい。
【００５７】
また、本発明の目的は、前述した各実施の形態の機能を実現するソフトウェアのプログラムコードを記憶した記憶媒体を、システム或いは装置に供給し、以下の処理を行うことによっても達成される。即ち、そのシステム或いは装置のコンピュータ（またはＣＰＵやＭＰＵ等）が記憶媒体に格納されたプログラムコードを読み出し実行することによっても達成される。
【００５８】
この場合、記憶媒体から読み出されたプログラムコード自体が前述した各実施の形態の機能を実現することになり、そのプログラムコード及び該プログラムコードを記憶した記憶媒体は本発明を構成することになる。
【００５９】
また、プログラムコードを供給するための記憶媒体としては、例えば、フロッピー（登録商標）ディスク、ハードディスク、光磁気ディスクを用いることができる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００６０】
また、コンピュータが読み出したプログラムコードを実行することにより、前述した各実施の形態の機能が実現されるだけではなく、以下の場合も含まれる。即ち、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００６１】
更に、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、以下の処理を行う場合も含まれる。即ち、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００６２】
【図１】本発明の第１の実施の形態に係るテレビジョン放送受信装置としてのデジタルＴＶ放送受信機システムの構成を示すブロック図である。
【図２】デジタルＴＶ放送により送信される映像情報及びデータ情報を示す図である。
【図３】デジタルＴＶ放送受信機システムの記憶部に保存されたジャンル情報と表示許可フラグからなるデータの構成例を示す図である。
【図４】視聴中の番組がドラマの場合は画像データの表示は行わず、視聴中の番組がニュースに切り替わった場合はランダムな時間間隔で画像データの表示を開始する概念を示す図である。
【図５ａ】デジタルＴＶ放送受信機システムの表示処理を示すフローチャートである。
【図５ｂ】デジタルＴＶ放送受信機システムの表示処理を示すフローチャートである。
【図６】本発明の第２の実施の形態に係る電子番組ガイドデータを基にデータを検索する場合のテレビジョン放送受信装置としてのデジタルＴＶ放送受信機システムの構成を示すブロック図である。
【図７】本発明の第３の実施の形態に係る電子番組ガイドデータを外部から入手する場合のテレビジョン放送受信装置としてのデジタルＴＶ放送受信機システムの構成を示すブロック図である。
【図８】本発明の第４の実施の形態に係る受信データを蓄積する場合のテレビジョン放送受信装置としてのデジタルＴＶ放送受信機システムの構成を示すブロック図である。
【符号の説明】
【００６３】
１０１  受信データ処理部
１０２、６０４  表示制御部（制御手段）
１０３  表示部（表示手段）
１０４  情報ソース供給部（取得手段）
１０５、６０３  情報抽出部
１０６  検索部
１０７  記憶部（記憶手段、格納手段）
１０８  入力部
６０１  ＥＰＧ処理部
６０２  ＥＰＧ記憶部
７０１  ＥＰＧ  ＩＯ処理部
７０２  ネットワーク
７０３  外部ＥＰＧデータベース
８０１  蓄積制御部
８０２  蓄積部
８０３  切り替え部
【図１】
2008061188.tif 000003
【図２】
2008061188.tif 000004
【図３】
2008061188.tif 000005
【図４】
2008061188.tif 000006
【図５ａ】
2008061188.tif 000007
【図５ｂ】
2008061188.tif 000008
【図６】
2008061188.tif 000009
【図７】
2008061188.tif 000010
【図８】
2008061188.tif 000011